(57)【要約】      （修正有）【課題】着脱可能なギターを提供する。【解決手段】複数の弦巻きが備えられたヘッド１１０の一側にヘッドと一体にヘッドの長さ方向に沿って端部に行くほど徐々に幅が拡張される形で延長形成され、上面において弦巻きの一端に巻取される複数のストリングが設けられたネックからなるボディ部１００、演奏時にボディ部が支持されるようにボディ部の下側に備えられて演奏者の太ももに安着される太ももレスト２１０、演奏時に演奏者のアームが置かれるようにボディ部の上側に備えられるアームレスト２２０、それらを相互連結し、ボディ部が挿入されて太ももレスト及びアームレストとボディ部が結合できるように上方に開口されてテーパーになった連結溝が陥没形成された連結部からなるレスト部２００を含むことにより、ボディ部とレスト部の分離ができ、ギターの携帯及び保管が容易で、演奏者に合わせてレスト部が交替できることにより、安定した演奏と様々な個性の表現ができ、イヤホンの連結ができる。【選択図】図３
0003225595.tif 000002
【実用新案登録請求の範囲】
【請求項１】
複数の弦巻き１１１が備えられたヘッド１１０、
前記ヘッド１１０の一側に前記ヘッド１１０と一体に前記ヘッド１１０の長さ方向に沿って端部に行くほど徐々に幅が拡張される形で延長形成され、上面において前記弦巻き１１１の一端に巻き取られる複数のストリング１２１が設けられたネック１２０からなるボディ部１００、
演奏時に前記ボディ部１００が支持されるように、前記ボディ部１００の下側に備えられて演奏者の太ももに安着される太ももレスト２１０、
演奏時に演奏者のアームが置かれるように、前記ボディ部１００の上側に備えられるアームレスト２２０、及び、
前記太ももレスト２１０と、前記アームレスト２２０とを相互連結し、前記ボディ部１００が挿入されて、前記太ももレスト２１０及びアームレスト２２０と、前記ボディ部１００が結合されるように上方に開口されてテーパーになった連結溝２３１が陥没形成された連結部２３０からなるレスト部２００を含み、
前記太ももレスト２１０と前記アームレスト２２０とは相互に分離ができ、
前記ボディ部１００、太ももレスト２１０及びアームレスト２２０は、コア３００に結合され、
前記コア３００は、その外部が前記連結溝２３１の外面と対応する形状で形成され、その内部が前記ボディ部１００の外面にかみあうように形成され、
前記コア３００、前記太ももレスト２１０及びアームレスト２２０の結合にはボルト３２０が用いられ、
前記ボルト３２０は、前記コア３００に着脱可能に設けられ、
前記ボディ部１００の両側面には、ガイド１３０が突出形成され、
前記ボディ部１００のガイド１３０が挿入されるように前記コア３００の両側内面に陥没溝３１０が形成され、
前記ボディ部１００のガイド１３０が、前記コア３００の陥没溝３１０に沿ってスライディング締結されることを特徴とする、
着脱可能なギター。
【請求項２】
前記ボディ部１００の側面勾配と、前記ボディ部１００の側面と接触される前記連結溝２３１内側面の勾配が同一に形成されたことを特徴とする請求項１に記載の着脱可能なギター。
【請求項３】
前記ボディ部１００と前記レスト部２００の相互接触領域の一側には、前記ボディ部１００が前記レスト部２００に結合された状態を拘束させるロック部４００が設けられたことを特徴とする請求項１に記載の着脱可能ギター。
【考案の詳細な説明】
【技術分野】
【０００１】
本考案は、着脱可能なギターに関するものであって、さらに詳細には、アームレスト及び太ももレストが、ボディと分離されるようにした着脱可能なギターに関するものである。
【背景技術】
【０００２】
ギターは、ネックがボディ（本体）の一側に結合されてボディからネックの上に弦を配列して構成する。
【０００３】
ところが、ギターのネックには、弦の引っ張り、湿気、及び温度変化などによりねじりと曲げの変形が発生される。これはギターが木材で構成されることによって起因するものでもあり、またネックとボディが別に製作された後、相互に組み立てられた状態で弦の継続的な引っ張りによる張力が作用するためでもある。
【０００４】
これを解決するために、ギターのボディとネックを折り畳み式で構成することにより、保管の際ボディにネックが重なるようにしてネックの変形を防止し、且つ携帯の際横に長くなった体積を減らすことができる効果はある。しかし、ボディからネックが完全に分離される構成ではなく、継ぎ目部分が曲げられるようにした装置に過ぎなかった。
【０００５】
このようなギターの場合、構造が複雑で、且つ遊びが発生して、演奏のとき、音律の変化をもたらすだけでなく、折畳みする構成が外部に突出されて外観が悪くなり、折畳みした場合、演奏しようとしてギターを広げると、絡んだ弦のため弦をいちいち解かなければならないので、実用化されていない。
【０００６】
また、ギターのネックとボディは一体に製作されるため、体積を減らすのに限界があるので、依然として携帯及び保管が容易でないだけでなく、ネックについてボディの交替が不可能であるので、ネック及びボディの損傷時、ギターの補修に多くの費用が発生し得るという問題点がある。
【先行技術文献】
【特許文献】
【０００７】
【特許文献１】韓国公開特許公報第１０−２００５−０００９３３８  号（名称：ギターネックの補強構造及びその製作方法）
【特許文献２】韓国公開実用新案公報第２０−２０００−００１８４８２  号（名称：木材代用のギターネック）
【考案の概要】
【考案が解決しようとする課題】
【０００８】
本考案は、前記のような従来技術の問題点を解消するためのものであって、ボディ部とレスト部の分離ができるため、ギターの携帯及び保管が容易であり、また演奏者に合わせてレスト部が交替できることによって、安定した演奏と様々な個性の表現ができ、さらにイヤホンが連結されるようにして層間の騒音を気にせず練習と演奏ができる着脱可能なギターを提供することに目的がある。
【課題を解決するための手段】
【０００９】
本考案は、前記のような問題を解決するために案出されたものであって、複数の  弦巻きが備えられたヘッド、前記ヘッドの一側に前記ヘッドと一体に前記ヘッドの長さ方向に沿って端部に行くほど徐々に幅が拡張される形で延長形成され、上面において前記弦巻きの一端に巻き取られる複数のストリングが設けられたネックからなるボディ部、演奏時に前記ボディ部が支持されるように前記ボディ部の下側に備えられて演奏者の太ももに安着される太ももレスト、演奏時に演奏者のアームが置かれるように前記ボディ部の上側に備えられるアームレスト、及び前記太ももレストと前記アームレストとを相互連結し、前記ボディ部が挿入されて前記太ももレスト及びアームレストと前記ボディ部が結合できるように上方が開口されてテーパーになった連結溝が陥没形成された連結部からなるレスト部を含む方が好ましい。
【００１０】
前記ボディ部と前記レスト部の結合時に、前記連結部と接触する前記ボディ部の両側面にはガイドが突出形成され、前記連結部の両側内面には前記ガイドが挿入される陥没溝が陥没形成される方が効果的である。
【００１１】
前記ガイドは、前記連結溝の幅と同じ幅で形成された前記ボディ部の両側面に配置されて、前記ボディ部と前記レスト部とを結合するとき、前記ガイドの突出方向に沿って前記ガイドが前記陥没溝に堅くかみあいできるようにする方が好ましい。
【００１２】
前記ボディ部の側面の勾配と、前記ボディ部の側面と接触される前記連結溝内側面の勾配は同一に形成する方が効果的である。
【００１３】
前記連結部の前記連結溝には、前記連結溝の外面と対応される形状に形成されて、前記ボディ部を前記レスト部に結合する時、前記ボディ部の外面とかみあい、金属または木材の材質で形成された別のコアを備える方が好ましい。
【００１４】
前記ボディ部と前記レスト部の相互接触領域の一側には、前記ボディ部が前記レスト部に結合された状態を拘束させるロック部を設ける方が効果的である。
【００１５】
前記ロック部は、前記連結溝の一側面において一部が外部に突出して、残りの一部が内部に埋め込まれた形で弾性支持されるように設けられたボール部材と、前記ボール部材が設けられた位置と対応する前記ネックの一側面に形成されて前記ボール部材が選択的に挿入されるようにする締結溝と、で構成される方が好ましい。
【００１６】
前記ボディ部の端部背面には、ジャックの連結穴が形成された回路部が備えられて、演奏の際前記ストリングによって発生する電気的な信号がイヤホンまたはアンプ側に伝達され、前記イヤホンまたは前記アンプを用いて出力できるようにする方が効果的である。
【考案の効果】
【００１７】
これらの本考案に従った着脱可能なギターは、ボディ部とレスト部の分離が可能であるため体積を減らすことができるので、ギターの持ち運びが簡単で、且つ保管が容易な効果がある。
【００１８】
そして、本考案は、レスト部を演奏者の身体サイズに合わせて選択的に交替するようにして一つのボディ部を交替しながら使用することができ、且つ安定した演奏を可能にするだけでなく、様々な個性の表現を可能にさせる効果がある。
【００１９】
また、本考案は、ギターにイヤホンが連結されるようにして、層間騒音の心配をせずに演奏者が思う存分に練習や演奏ができて使用の便宜性を向上させる効果がある。
【図面の簡単な説明】
【００２０】
【図１】（ａ）は、一実施形態に係る着脱可能なギターにおけるボディ部の構造を示す平面図である。（ｂ）は、一実施形態に係る着脱可能なギターにおけるレスト部の構造を示す平面図である。
【図２】一実施形態に係る着脱可能なギターにおけるレスト部の構造を示す斜視図である。
【図３】一実施形態に係る着脱可能なギターにおけるボディ部とレスト部とを相互結合させる過程を順次的に示す斜視図である。
【図４】一実施形態に係る着脱可能なギターを演奏者が演奏する動作を示す斜視図である。
【図５】（ａ）と（ｂ）は、他の実施形態に係る着脱可能なギターにおけるレスト部とコアが分離された構造を示す斜視図である。
【考案を実施するための形態】
【００２１】
以下では、本考案の好ましい実施形態及び添付の図面を参照して本考案を詳細に説明する。但し、図面の同一参照符号は同一構成要素を示すことを前提して説明する。
【００２２】
本考案の詳細な説明、または請求の範囲におけるいずれか一つの構成要素が他の構成要素を「含む」とは、特に反対される記載がない限り、当該構成要素だけで構成されたものと限って解釈せずに他の構成要素を更に含むことができると理解しなければならない。
【００２３】
図１の（ａ）は、本考案の一実施形態に係る着脱可能なギターにおけるボディ部の構造を示す平面図であり、（ｂ）は、本考案の一実施形態に係る着脱可能なギターにおけるレスト部の構造を示す平面図であり、図２は、本考案の一実施形態に係る着脱可能なギターにおけるレスト部の構造を示す斜視図であり、図３は、本考案の一実施形態に係る着脱可能なギターにおけるボディ部とレスト部とを相互結合させる過程を順次的に示す斜視図であり、図４は、本考案の一実施形態に係る着脱可能なギターを演奏者が演奏する動作を示す斜視図であり、図５の（ａ）と（ｂ）は、本考案の他の実施形態に係る着脱可能なギターにおけるレスト部とコアが分離された構造を示す斜視図である。
【００２４】
添付図面を参考にして本考案を説明すると以下の通りである。
【００２５】
図面に示すように、本考案に係る着脱可能なギターは、ヘッド１１０、ボディ部１００、太ももレスト２１０、アームレスト２２０、及びレスト部２００を含めて構成されている。
ヘッド１１０は、複数の弦巻き１１１が備えられる。ボディ部１００は、前記ヘッド１１０の一側に前記ヘッド１１０と一体に前記ヘッド１１０の長さ方向に沿って端部に行くほど徐々に幅が拡張される形で延長形成され、上面における前記弦巻き１１１の一端に巻き取られる複数のストリング１２１が設けられたネック１２０からなる。太ももレスト２１０は、演奏時に前記ボディ部１００が支持されるように前記ボディ部１００の下側に備えられて演奏者の太ももに安着される。アームレスト２２０は、演奏時に演奏者のアームを置かれるように前記ボディ部１００の上側に備えられる。レスト部２００は、前記太ももレスト２１０と前記アームレスト２２０とを相互連結し、前記ボディ部１００が挿入されて前記太ももレスト２１０及びアームレスト２２０と前記ボディ部１００が結合されるように上方に開口されてテーパーになった連結溝２３１が陥没形成された連結部２３０からなる。
【００２６】
ボディ部１００は、上面に複数のストリング１２１が設けられて、実質的に演奏が行われるようにする役割をする。それは、大きくストリング１２１の一端部が巻き取られて固定されるヘッド１１０と、ストリング１２１の他端部が固定されてストリング１２１が支持されるネック１２０からなる。
【００２７】
ヘッド１１０には、複数の弦巻き１１１が回転可能に設けられて、その外面に巻き取られたストリング１２１の張力を調節できるようにすることで、音が調律されるようにする方が好ましい。
【００２８】
ネック１２０は、ヘッド１１０の一端からヘッド１１０の長さ方向に沿って一定の長さを有するように延長形成され、端部に行くほど徐々に幅が拡張されるように形成することによって、レスト部２００をネック１２０に結合するとき、堅くかみあいできるようにして、レスト部２００とボディ部１００とが強固に結合できるようにする方が効果的である。
【００２９】
ネック１２０の外面にレスト部２００を結合するとき、レスト部２００に形成された連結部２３０と接触されるネック１２０の両側面にはガイド１３０が突出形成されて、ネック１２０の外面にレスト部２００が結合するとき、結合位置が案内されるようにする方が好ましい。
【００３０】
このようなガイド１３０は、連結部２３０に形成された陥没溝２３２にスライディング方式で挿入されることにより、結果的にボディ部１００とレスト部２００とが結合できるようにする役割をする。但し、レスト部２００がボディ部１００に容易に着脱できるようにするために、かみあいがきつくない程度の厚さを有するように設計されている。
【００３１】
ボディ部１００とレスト部２００が堅くかみあうようにするためには、ボディ部１００のネック１２０が端部に行くほど徐々に幅が拡張形成され、レスト部２００の連結部２３０に形成された連結溝２３１がテーパー状で形成されることによって堅固な結合ができるようにする。
【００３２】
ただし、このようなガイド１３０は、連結溝２３１の幅と同じ幅で形成されたボディ部１００の両側面に配置されて、ボディ部１００とレスト部２００とを結合するとき、ガイド１３０が陥没溝２３２にガイド１３０の突出方向に沿って堅くかみあいできるようにする方が好ましい。
【００３３】
そして、ボディ部１００の側面は、厚さ方向に沿って上側に行くほど幅がやや狭くなるように勾配を有するように形成する方が好ましい。これは、ボディ部１００とレスト部２００とが相互結合された状態で、レスト部２００からボディ部１００が厚さ方向に沿って離脱されることを防止するためである。
【００３４】
一方、レスト部２００は、太ももレスト２１０、アームレスト２２０、及び連結部２３０からなる。太ももレスト２１０は、ボディ部１００の下側に備えられて演奏者の太ももに安着される。アームレスト２２０は、演奏時に演奏者のアームを置くことができるように前記ボディ部１００の上側に備えられる。連結部２３０は、太ももレスト２１０とアームレスト２２０を相互連結し、ボディ部１００が挿入されて太ももレスト２１０、及びアームレスト２２０と、ボディ部１００が結合できるように上方に開口されてテーパーになった連結溝２３１が陥没形成される。
【００３５】
太ももレスト２１０は、演奏者がギターを演奏するとき、ボディ部１００が演奏者の太ももから一定の高さに支持できるようにボディ部１００を支持する役割をする部材であって、このために太ももレスト２１０は、ボディ部１００を基準にボディ部１００の下側に配置され、太ももレスト２１０の下面が演奏者の太ももに安着するとき、演奏者が不便を感じないように太ももレスト２１０の下面を太ももの外面に沿って屈曲させて形成する方が好ましい。
【００３６】
アームレスト２２０は、ボディ部１００を基準に太ももレスト２１０と反対側になるボディ部１００の上側に配置されて演奏者のアームを置くことができ、よって、楽な姿勢でギターを演奏できる役割をする。このために演奏者のアームと接触する上面も屈曲させて形成する方が効果的である。
【００３７】
連結部２３０は、太ももレスト２１０とアームレスト２２０とが相互連結されるようにすると同時に、太ももレスト２１０及びアームレスト２２０がボディ部１００に結合できるようにする役割をする。このために、連結部２３０の上部は開口形成されて連結溝２３１が陥没形成されている。
【００３８】
連結溝２３１の側面は、厚さ方向に沿って上側に行くほど幅がやや狭くなるようにボディ部１００と同じ勾配を有するように形成される方が好ましい。これは、ボディ部１００とレスト部２００とが相互結合された状態で、レスト部２００からボディ部１００が厚さ方向に沿って離脱されることを防止するためである。
【００３９】
連結溝２３１は、一側から他側に行くほどその幅が徐々に狭くなってテーパーになるように形成する方が好ましい。これは、ボディ部１００をレスト部２００に結合するとき、端部に行くほど幅が徐々に拡張されるように形成されたボディ部１００の側面との連結溝２３１の両側内面が堅くかみあって遊びが発生しないようにするためである。
【００４０】
また、連結溝２３１の両側内面には、ボディ部１００に備えられたガイド１３０が挿入される陥没溝２３２が陥没形成されることによって、ボディ部１００とレスト部２００とを結合するとき、レスト部２００の結合位置が案内されるようにする方が効果的である。
【００４１】
一方、連結部２３０の連結溝２３１には、連結溝２３１の外面と対応する形状で形成したものであって、ボディ部１００をレスト部２００に結合するとき、ボディ部１００の外面とかみあって金属材質で形成された別のコア３００を備えることができる。
【００４２】
別のコア３００が連結溝２３１に設けられる場合に、連結溝２３１はコア３００が設けられない場合よりやや大きいサイズで形成する方が好ましく、コア３００が設けられる場合にボディ部１００に備えられたガイド１３０が挿入されるようにコア３００の両側内面にも陥没溝３１０が形成される方が好ましい。
【００４３】
図５に示すように、このようなコア３００は、別のボルト３２０によって連結溝２３１に着脱可能に設けられる金属や木材材質の部材であって、太ももレスト２１０、またはアームレスト２２０が損傷し、或は演奏者の好みに応じて他の形態の太ももレスト２１０、またはアームレスト２２０をボディ部１００と結合しようとする場合に、コア３００を分離させた後、新しいレスト部２００に取り付けて継続的な使用ができるようにする方が効果的である。
【００４４】
そして、太ももレスト２１０とアームレスト２２０が相互分離できるように備えられた場合には、様々な形態の太ももレスト２１０とアームレスト２２０とを組み合わせて、コア３００と結合できるようにすることで、演奏者の好みに応じて着脱可能なギターの形態を変更できるようにする方が好ましい。
【００４５】
ボディ部１００とレスト部２００の相互接触領域の一側には、ボディ部１００がレスト部２００に結合された状態を拘束させることによって、任意でボディ部１００がレスト部２００から離脱されることを防止する別のロック部４００を更に設ける方が効果的である。
【００４６】
図１に示すように、ロック部４００は、連結溝２３１の一側面において、一部が外部に突出されて、残りの一部が内部に埋め込まれた形で弾性支持されるように設けられたボール部材４１０と、ボール部材４１０が設けられた位置と対応するネック１２０の一側面に形成され、ボール部材４１０が選択的に挿入されるようにする締結溝４２０と、で構成することができる。
【００４７】
そして、ボール部材４１０が弾性支持されるようにボール部材４１０の一側面には弾性スプリング４３０がボール部材４１０と接触されるように設けられることで、ボディ部１００とレスト部２００とを結合するとき、ボール部材４１０が一定深さのボディ部１００の内側に引入された後、ボディ部１００とレスト部２００との結合が完了すると、ボール部材４１０が弾性スプリング４３０の弾性によって締結溝４２０にカチッと音を発生しながら締結される。
【００４８】
ボール部材４１０の外面が球状であって、屈曲させて形成しているので、一定以上の力を与えてレスト部２００からボディ部１００を引っ張ると、ボール部材４１０はレスト部２００の内側に一定深さに引入されて締結溝４２０から離脱され、自然にボディ部１００とレスト部２００が分離される。
【００４９】
ロック部４００のボール部材４１０は、コア３００にレスト部２００が完全に結合された状態で、ボール部材４１０が締結溝４２０に挿入できる位置に配置されるようにして、コア３００とレスト部２００との間の流動が発生しないようにする方が好ましい。
【００５０】
このようなロック部４００は、ボール部材４１０、締結溝４２０、及び弾性スプリング４３０を含む構成に限定されず、別のボタンまたはフック方式で構成されて、ボタンまたはフックを押す動作によってボディ部１００の拘束が解除されて、ボディ部１００とレスト部２００の分離動作が行われることも可能である。
【００５１】
ボディ部１００の端部背面には、ジャックの連結穴５１０が形成された回路部５００が備えられて、演奏時にストリング１２１によって発生する電気的な信号がイヤホンまたはアンプ側に伝達され、前記イヤホンまたは前記アンプを用いて出力できるようにする方が効果的である。
【００５２】
このような回路部５００は、ボディ部１００の端部背面に配置されることによって着脱可能なギターの構造的な安定感を向上させることができる。また、演奏時に太ももと近接に配置される領域をできるだけ薄くして使用利便性が向上させることができる。
【００５３】
回路部５００は、ボディ部１００の端部の内部に内蔵された形で設けられて外部の衝撃から保護できるようにする方が効果的である。
【００５４】
上述したような構成を有する本考案の一実施形態に係る着脱可能なギターのボディ部とレスト部とを相互に結合させる過程を図３を参照して説明すると、次のとおりである。
【００５５】
まず、レスト部２００の連結部２３０に形成された連結溝２３１より幅が狭く形成されたボディ部１００のネック１２０領域が、連結溝２３１の上側に安着されるようにボディ部１００がレスト部２００と交差されるように配置させる。
【００５６】
そして、このような状態で、相対的に幅が拡張されるように形成されたボディ部１００の端部が、連結溝２３１に近接するようにボディ部１００の端部を連結溝２３１側に押し込めば、ボディ部１００の両側面に突出されるように備えられたガイド１３０が連結溝２３１に形成された陥没溝２３２に挿入されて、ボディ部１００とレスト部２００との相互結合が行われ始める。
【００５７】
その後、連結溝２３１側にボディ部１００の端部を更に押し込むと、連結溝２３１の内側面に備えられたボール部材４１０が連結溝２３１の内側面に引入されながら弾性スプリング４３０が圧着される。また、ボディ部１００を一定の距離だけ更に押し込むと連結溝２３１の外側にボール部材４１０が復帰され、ボール部材４１０がボディ部１００の締結溝４２０に挿入される。よって、ボディ部１００とレスト部２００が結合された状態が強固に維持される。
【００５８】
このような状態において、演奏者は図４  に示すように、太ももレスト２１０を太ももに安着させてアームレスト２２０の上面にアームを置いた楽な状態で着脱可能なギターを演奏することができる。
【００５９】
ボディ部１００とレスト部２００を分離させる過程は、上述した結合過程の逆順で行われる。その詳細な説明は省略する。
【００６０】
このような構成を有する本考案に係る着脱可能なギターは、ボディ部とレスト部の分離が可能であるためギターの携帯と保管が容易であり、また、レスト部を演奏者に合わせて交替できるようにすることで、安定した演奏と様々な個性の表現ができる。さらに、イヤホンが連結されるようにして層間の騒音を気にせず練習と演奏ができる。
【００６１】
以上、いくつかの実施形態を通じて本考案の技術的思想を説明した。
【００６２】
本考案が属する技術分野における通常の知識を有する者が本考案の記載事項から前記説明した実施形態を多様に変形し、または変更できることは自明である。また、たとえ明示的に示されていない、または説明されていないとしても、本考案の属する技術分野における通常の知識を有する者が本考案の記載事項から本考案による技術的思想を含む様々な形態の変形を行うことができることは自明であり、これは依然として本考案の権利範囲に属する。添付する図面を参照して説明された前記の実施形態は、本考案を説明するための目的で記述されたものであって、本考案の権利範囲はこれらの実施形態に限定されない。
【００６３】
本考案は、演奏者の指で演奏が行われる弦楽器の分野に適用される。
【符号の説明】
【００６４】
１００  ボディ部
１１０  ヘッド
１１１  弦巻き
１２０  ネック
１２１  ストリング
１３０  ガイド
２００  レスト部
２１０  太ももレスト
２２０  アームレスト
２３０  連結部
２３１  連結溝
２３２、３１０  陥没溝
３００  コア
３２０  ボルト
４００  ロック部  
４１０  ボール部材
４２０  締結溝
４３０  弾性スプリング
５００  回路部
５１０  ジャックの連結穴
【図１】
0003225595.tif 000003
【図２】
0003225595.tif 000004
【図３】
0003225595.tif 000005
【図４】
0003225595.tif 000006
【図５】
0003225595.tif 000007